(57)【要約】【課題】装置本体の上部前側にロック部と他の部材が配置される場合であっても、その高さ方向寸法が増大するのを抑制可能な画像形成装置を提供すること。【解決手段】画像形成装置は、開口を有する筐体と、閉位置と開位置との間を移動可能に構成され、閉位置にある場合には開口を閉塞し、開位置にある場合には開口を開放するカバー部と、筐体及びカバー部のうち、いずれか一方に設けられたロック部と、他方に設けられた被ロック部とを備える。ロック部は、第一軸線を中心に回動する第一回動部材と、第一軸線を中心に回動する第二回動部材と、第一軸線と平行な第二軸線を中心に回動する第三回動部材とを有する。【選択図】図５
2019032493.tif 000002
【特許請求の範囲】
【請求項１】
開口を有する筐体と、
閉位置と開位置との間を移動可能に構成され、前記閉位置にある場合には前記開口を閉塞し、前記開位置にある場合には前記開口を開放するカバー部と、
前記筐体及び前記カバー部のうち、いずれか一方に設けられたロック部と、他方に設けられた被ロック部と
を備え、
前記ロック部は、
前記被ロック部に設けられた第一被係止部に係止可能な第一係止部と、軸及び軸受のうちのいずれか一方とを有し、当該一方が他方によって支持されて第一軸線を回動中心として、前記第一係止部が前記第一被係止部に係止する係止位置、及び前記第一係止部が前記第一被係止部に係止する状態が解除される解除位置へ回動する第一回動部材と、
前記第一軸線が延びる方向について前記第一回動部材との間に間隔を空けた位置に配置され、前記被ロック部に設けられた第二被係止部に係止可能な第二係止部と、軸及び軸受のうちのいずれか一方とを有し、当該一方が他方によって支持されて前記第一軸線を回動中心として、前記第二係止部が前記第二被係止部に係止する係止位置、及び前記第二係止部が前記第二被係止部に係止する状態が解除される解除位置へ回動する第二回動部材と、
軸及び軸受のうちのいずれか一方を有し、当該一方が他方によって支持されて前記第一軸線と平行な第二軸線を回動中心として、第一位置及び第二位置へ回動し、前記第一回動部材及び前記第二回動部材が前記係止位置にある場合には前記第一位置にあり、前記第一回動部材及び前記第二回動部材が前記解除位置にある場合には前記第二位置にある第三回動部材と、
前記第一回動部材及び前記第二回動部材が解除位置から係止位置へと回動する方向へ付勢する付勢部材と
を備え、
前記第一回動部材、前記第二回動部材、及び前記第三回動部材のうち、少なくとも一つの回動部材については、当該回動部材が回動するのに連動して、当該回動部材以外の二つの回動部材が回動するように構成されている
画像形成装置。
【請求項２】
請求項１に記載の画像形成装置であって、
前記第一回動部材は、第一伝達部を有し、
前記第三回動部材は、第一被伝達部を有し、
前記第一伝達部と前記第一被伝達部は、前記第一軸線及び前記第二軸線の双方から離れた位置において接触しており、前記第一回動部材が回動する際には、前記第一伝達部と前記第一被伝達部とが互いに接触する状態を維持したまま相対的にスライドして、前記第一伝達部から前記第一被伝達部へと力を伝達することにより、前記第三回動部材を回動させるように構成され、
前記第三回動部材は、第二伝達部を有し、
前記第二回動部材は、第二被伝達部を有し、
前記第二伝達部と前記第二被伝達部は、前記第一軸線及び前記第二軸線の双方から離れた位置において接触しており、前記第三回動部材が回動する際には、前記第二伝達部と前記第二被伝達部とが互いに接触する状態を維持したまま相対的にスライドして、前記第二伝達部から前記第二被伝達部へと力を伝達することにより、前記第二回動部材を回動させるように構成されている
画像形成装置。
【請求項３】
請求項２に記載の画像形成装置であって、
前記第一伝達部及び前記第一被伝達部のうち、いずれか一方には第一ガイド面が設けられ、他方には前記第一ガイド面に接触しつつ前記第一ガイド面に沿って移動する第一接触部が設けられ、
前記第二伝達部及び前記第二被伝達部のうち、いずれか一方には第二ガイド面が設けられ、他方には前記第二ガイド面に接触しつつ前記第二ガイド面に沿って移動する第二接触部が設けられている
画像形成装置。
【請求項４】
請求項２又は請求項３に記載の画像形成装置であって、
前記筐体の上部には、排紙トレイが設けられていて、
前記排紙トレイの端部には、前記排紙トレイへと排出されるシートが前記排紙トレイから逸脱する方向へ移動するのを規制する排紙ストッパが設けられ、
前記排紙ストッパは、前記排紙ストッパを使用するときの位置である使用位置と、前記排紙ストッパを使用しないときの位置である非使用位置との間で移動可能に構成され、
前記排紙トレイには、前記排紙ストッパが前記非使用位置へ移動した際に、前記排紙ストッパが収容される収容部が設けられ、
前記排紙ストッパは、前記筐体の上方から見て、前記第一回動部材と前記第二回動部材との間となる位置に設けられている
画像形成装置。
【請求項５】
請求項４に記載の画像形成装置であって、
前記第二軸線は、高さ方向について、前記第一軸線よりも下方となる位置にある
画像形成装置。
【請求項６】
請求項５に記載の画像形成装置であって、
前記第三回動部材は、前記第二軸線上に設けられた中心軸と、前記中心軸と並列に設けられて、一端が前記第一被伝達部に連設されるとともに、他端が前記第二伝達部に連設される並列軸とを備え、
前記排紙ストッパが前記非使用位置へ移動した際には、前記排紙ストッパの上面が前記シートの排出方向上流側から下流側に向かって斜め下方へと傾斜する状態になり、
前記中心軸及び前記並列軸は、前記収容部の下方に配置され、
前記並列軸は、前記排紙トレイにおけるシートの排出方向について、前記中心軸よりも下流側となる位置に設けられ、
前記並列軸の上面は、高さ方向について、前記中心軸の上面よりも下方となる位置にあり、
前記収容部の下面は、前記シートの排出方向上流側から下流側に向かって斜め下方へと傾斜している
画像形成装置。
【発明の詳細な説明】
【技術分野】
【０００１】
本開示は、画像形成装置に関する。
【背景技術】
【０００２】
画像形成装置において、装置の筐体前面に開口が設けられて、その開口を開閉可能なカバー部で覆うように構成された装置が知られている（例えば、特許文献１参照。）。このような画像形成装置の場合、カバー部を開いて、画像形成装置に対するメンテナンス（例えば、部品交換、消耗品補充、ジャム処理等。）を実施することができる。
【０００３】
また、上記特許文献１に記載の画像形成装置の場合、カバー部と筐体とをロックするためのロック部が筐体上部に設けられている。このロック部は、装置前面上部において左右方向に延びる単一のシャフト（３４Ｅ）と、シャフト（３４Ｅ）の両端部に設けられた係合アーム（３４Ｂ）とを有している。
【先行技術文献】
【特許文献】
【０００４】
【特許文献１】特開２００７−１６８４０５号公報
【発明の概要】
【発明が解決しようとする課題】
【０００５】
しかし、上述のようなロック部が装置本体の上部に配置されていると、装置本体の上部に他の部材を配置する上で邪魔になることがある。具体例を交えて説明すれば、例えば、装置本体の上面に排紙トレイを設ける場合には、装置本体の上面前側に排紙ストッパを設けたいことがある。排紙ストッパは、装置本体上面に設けられた凹部に収納された状態と、排紙トレイに対して起立した状態とに回動できるものがある。このように凹部に収納可能な排紙ストッパを装置本体の上面に設けた場合、凹部と上述のようなロック部が有するシャフトとが干渉しないように、凹部をシャフトよりも上方に配置する必要がある。したがって、排紙ストッパを配置するのに必要なスペースとロック部を配置するのに必要なスペースが上下方向に積み上がるため、装置の高さ方向寸法が大きくなりやすい、という問題を招く。
【０００６】
このような問題は、上述の例で示した排紙ストッパに限って発生する問題ではない。例えば、装置本体の上面前側に操作パネルを設けたい場合にも同様な問題が発生する。あるいは、装置本体の上面前側にＮＦＣデバイス（ＮＦＣはNear field radio communication（近距離無線通信）の略称。）を設けたい場合にも同様な問題が発生する。
【０００７】
本開示の一局面においては、装置本体の上部前側にロック部と他の部材が配置される場合であっても、その高さ方向寸法が増大するのを抑制可能な画像形成装置を提供することが望ましい。
【課題を解決するための手段】
【０００８】
本開示の一態様は、画像形成装置であって、開口を有する筐体と、閉位置と開位置との間を移動可能に構成され、閉位置にある場合には開口を閉塞し、開位置にある場合には開口を開放するカバー部と、筐体及びカバー部のうち、いずれか一方に設けられたロック部と、他方に設けられた被ロック部とを備え、ロック部は、被ロック部に設けられた第一被係止部に係止可能な第一係止部と、軸及び軸受のうちのいずれか一方とを有し、当該一方が他方によって支持されて第一軸線を回動中心として、第一係止部が第一被係止部に係止する係止位置、及び第一係止部が第一被係止部に係止する状態が解除される解除位置へ回動する第一回動部材と、第一軸線が延びる方向について第一回動部材との間に間隔を空けた位置に配置され、被ロック部に設けられた第二被係止部に係止可能な第二係止部と、軸及び軸受のうちのいずれか一方とを有し、当該一方が他方によって支持されて第一軸線を回動中心として、第二係止部が第二被係止部に係止する係止位置、及び第二係止部が第二被係止部に係止する状態が解除される解除位置へ回動する第二回動部材と、軸及び軸受のうちのいずれか一方を有し、当該一方が他方によって支持されて第一軸線と平行な第二軸線を回動中心として、第一位置及び第二位置へ回動し、第一回動部材及び第二回動部材が係止位置にある場合には第一位置にあり、第一回動部材及び第二回動部材が解除位置にある場合には第二位置にある第三回動部材と、第一回動部材及び第二回動部材が解除位置から係止位置へと回動する方向へ付勢する付勢部材とを備え、第一回動部材、第二回動部材、及び第三回動部材のうち、少なくとも一つの回動部材については、当該回動部材が回動するのに連動して、当該回動部材以外の二つの回動部材が回動するように構成されている。
【０００９】
このように構成された画像形成装置によれば、第一係止部及び第二係止部によってカバー部が閉位置から移動するのを規制することができる。第一係止部及び第二係止部は、双方とも第一軸線を中心に回動するので、双方を容易に同様の回転角で回動するように構成することができ、片閉じや片開きが発生するのを抑制できる。
【００１０】
第三回動部材は、第一回動部材及び第二回動部材の回動中心に相当する第一軸線とは異なる位置にある第二軸線を中心に回動する。そのため、第一回動部材と第二回動部材とが単一の軸材で構成されている場合とは異なり、第一回動部材と第二回動部材との間となる領域に軸材が通らない空間を確保できる。したがって、この空間を利用して所望の部材を配置できる。よって、例えば、第一回動部材と第二回動部材との間となる領域に通っている軸材を避けて、その軸材の上方に所望の部材を配置する場合に比べ、装置の高さ方向寸法が大きくなるのを抑制することができる。
【００１１】
また、第一回動部材と第二回動部材とが単一の軸材で構成されている場合に比べ、第一回動部材、第二回動部材、及び第三回動部材それぞれの軸方向の長さを、単一の軸材よりも短くすることができる。しかも、第一回動部材、第二回動部材、及び第三回動部材は、それぞれが軸及び軸受のうちのいずれか一方を有し、当該一方が他方によって回動可能に支持される。したがって、軸方向の長さが第一回動部材、第二回動部材、及び第三回動部材それぞれの長さよりも長くなる単一の軸材に比べ、軸に捻れや歪みが生じにくくなる。したがって、単一の軸材を採用する場合よりも、軸の捻れや歪みに起因する片閉じや片開きが発生するのを抑制できる。
【図面の簡単な説明】
【００１２】
【図１】図１は複合機の斜視図である。
【図２】図２は複合機のカバー部が閉位置にある状態を示す縦断面図である。
【図３】図３は複合機のカバー部が開位置にある状態を示す縦断面図である。
【図４】図４Ａはカバー部及び被ロック部を示す平面図である。図４Ｂはカバー本体、ロック部、及び被ロック部を示す平面図である。
【図５】図５Ａはカバー本体、及びロック部を示す斜視図である。図５Ｂはロック部を示す斜視図である。
【図６】図６Ａは第一被係止部と、その周辺の構造を示す斜視図である。図６Ｂは第一被係止部と、その周辺の構造を示す縦断面図である。
【図７】図７Ａは係止位置にある第一係止部を示す斜視図である。図７Ｂは解除位置にある第一係止部を示す斜視図である。
【図８】図８Ａは第一伝達部及び第一被伝達部を示す斜視図である。図８Ｂは第二伝達部及び第二被伝達部を示す斜視図である。
【図９】図９Ａは図４Ａ中にＩＸＡ−ＩＸＡ線で示した箇所の断面図である。図９Ｂは図４Ａ中にＩＸＢ−ＩＸＢ線で示した箇所の断面図である。
【図１０】図１０Ａは図４Ａ中にＸＡ−ＸＡ線で示した箇所の断面図である。図１０Ｂは図４Ａ中にＸＢ−ＸＢ線で示した箇所の断面図である。
【図１１】延長トレイを備えるカバー部の斜視図である。
【発明を実施するための形態】
【００１３】
次に、上述の画像形成装置について、例示的な実施形態を挙げて説明する。本実施形態において例示する画像形成装置は、画像形成装置としての機能（プリント機能）に加え、その他の機能（例えば、イメージスキャン機能、コピー機能、ファクシミリ送受信機能など）を兼ね備えた複合機として構成された装置である。なお、以下の説明においては、複合機の各部の相対的な位置関係を簡潔に説明するため、図中に併記した上下左右前後の各方向を利用して説明を行う。
【００１４】
［複合機の構成］
複合機１は、図１に示すように、本体部３、ＦＢ部５（ＦＢはフラットベッド（Flatbed）の略称。）、及びＡＤＦ部７（ＡＤＦは自動原稿送り装置（Automatic Document Feeder）の略称。）等を有する。本体部３は、筐体１１、カバー部１３、記録紙トレイ１５等を有する。ＦＢ部５の前側には、操作パネル１７が設けられている。カバー部１３は、図２に示す閉位置と図３に示す開位置との間を回動可能に構成されている。筐体１１の前面には開口１１Ａ（図３参照。）が設けられている。カバー部１３が閉位置にある場合には、筐体１１の開口１１Ａがカバー部１３によって閉塞される。カバー部１３が開位置にある場合には、筐体１１の開口１１Ａが開放される。
【００１５】
筐体１１の内部には、吸入ローラ２１、分離ローラ２２Ａ、分離パッド２２Ｂ、レジストローラ対２３Ａ，２３Ｂ、露光器２４、感光体２５、現像ローラ２６、転写ローラ２７、加熱ローラ２８Ａ、加圧ローラ２８Ｂ、及び排紙ローラ２９等が設けられている。記録紙トレイ１５に収容されたシートは、吸入ローラ２１によって記録紙トレイ１５から吸入され、分離ローラ２２Ａ及び分離パッド２２Ｂによって一枚ずつに分離されてから、搬送方向下流側へと送られる。シートがレジストローラ対２３Ａ，２３Ｂに当接すると、シートの先端位置が位置決めされるとともに、搬送方向に対するシートの傾きが矯正される。
【００１６】
露光器２４は、レーザー光で感光体２５を走査し、感光体２５の表面に静電潜像を描く。現像ローラ２６は、現像剤を担持した表面で感光体２５の表面に接触し、感光体２５の表面に描かれた静電潜像を顕像化する。転写ローラ２７は、感光体２５との間にシートを挟み込み、感光体２５の表面に形成された顕像をシート側へ転写する。加熱ローラ２８Ａ及び加圧ローラ２８Ｂは、上記顕像が転写されたシートを挟み込む。これにより、シートに対する加熱及び加圧が施され、シートに転写された顕像がシートに定着する。
【００１７】
画像が形成されたシートは、排紙ローラ２９によって本体部３の上面側へと排出される。本体部３とＦＢ部５との間には空間が確保されている。筐体１１及びカバー部１３の上面には、排紙トレイ３１が構成されている。カバー部１３は、図４Ａに示すように、カバー本体３３、カバートップ３５、排紙ストッパ３７、及びロック解除ボタン３９等を有する。カバートップ３５は、カバー部１３が閉位置にある場合に、排紙トレイ１３の一部を構成する。
【００１８】
排紙ストッパ３７は、カバートップ３５に取り付けられ、排紙ストッパ３７を使用するときの位置である使用位置と、排紙ストッパ３７を使用しないときの位置である非使用位置との間で移動可能に構成されている。カバートップ３５には、非使用位置へ移動した排紙ストッパ３７を収容可能な収容部３５１が設けられている。収容部３５１は、カバートップ３５の上面において下方へと凹む凹部である。
【００１９】
カバートップ３５の上面は、装置後方から前方に向かって下り勾配となる傾斜が設けられている（図７Ａ参照。）。これにより、本体部３とＦＢ部５との間の空間は、装置前方ほど上下方向寸法が拡大し、排紙トレイ３１上のシートを取り出しやすい形状になっている。排紙ストッパ３７が非使用位置にある場合、排紙ストッパ３７は、収容部３５１の内側に収まって、排紙ストッパ３７の上面とカバートップ３５の上面が面一となる。排紙ストッパ３７が使用位置にある場合は、排紙ストッパ３７が排紙トレイ３１に対して起立した状態となる。
【００２０】
カバー部１３において、カバートップ３５の下方には、図４Ｂ，図５Ａ，及び図５Ｂに示すように、ロック部４０が構成されている。ロック部４０は、第一回動部材４１、第二回動部材４２、第三回動部材４３、第一付勢部材４６、第二付勢部材４７を有する。筐体１１には、図４Ａ及び図４Ｂに示すように、被ロック部５０が構成されている。被ロック部５０は、第一被係止部５１と、第二被係止部５２とを有する。第一被係止部５１は、図６Ａ及び図６Ｂに示すように、筐体１１の上部前側に設けられている。図４Ｂに示す第二被係止部５２は、第一被係止部５１とは概ね左右対称となる箇所に設けられている。
【００２１】
第一回動部材４１は、カバー部１３の右側に設けられている。第一回動部材４１は、軸部４１Ａ，４１Ｂを有し（図５Ｂ参照。）、その軸部４１Ａ，４１Ｂがカバー本体３３に設けられた軸受６１Ａ，６１Ｂ（図４Ｂ参照。）によってそれぞれ支持されて、第一軸線Ｒ１（図９Ｂ参照。）を中心に回動可能に構成されている。第一回動部材４１には、第一係止部４１Ｃと、第一突出部４１Ｄが設けられている。第一回動部材４１は、第一係止部４１Ｃが第一被係止部５１に係止する係止位置（図７Ａ参照。）、及び第一係止部４１Ｃが第一被係止部５１に係止する状態が解除される解除位置（図７Ｂ参照。）へ回動する。
【００２２】
第一回動部材４１の軸部４１Ａは、左右方向において右側へ向かって延びる軸である。第一回動部材４１の軸部４１Ｂは、左右方向において左側へ向かって延びる軸である。また、第一回動部材４１の軸部４１Ａ及び軸部４１Ｂは、第一軸線Ｒ１に沿って延びている。第一係止部４１Ｃは、左右方向において軸部４１Ａよりも右側に位置している。第一係止部４１Ｃは、前後方向において軸部４１Ａよりも後側に位置している。
【００２３】
第二回動部材４２は、カバー部１３の左側に設けられている。第二回動部材４２は、軸部４２Ａ，４２Ｂを有し（図５Ｂ参照。）、その軸部４２Ａ，４２Ｂがカバー本体３３に設けられた軸受６２Ａ，６２Ｂ（図５Ａ参照。）によってそれぞれ支持されて、第一軸線Ｒ１を中心に回動可能に構成されている。第二回動部材４２には、第二係止部４２Ｃと、第二突出部４２Ｄが設けられている。第二回動部材４２は、第二係止部４２Ｃが第二被係止部５２に係止する係止位置、及び第二係止部４２Ｃが第二被係止部５２に係止する状態が解除される解除位置へ回動する。第一回動部材４１と第二回動部材４２とは、第一軸線Ｒ１が延びる方向（図中でいう左右方向。）について、互いの間に間隔を空けて配置されている。
【００２４】
第二回動部材４２の軸部４２Ａは、左右方向において右側へ向かって延びる軸である。第二回動部材４２の軸部４２Ｂは、左右方向において左側へ向かって延びる軸である。また、第二回動部材４２の軸部４２Ａ及び軸部４２Ｂは、第一軸線Ｒ１に沿って延びている。第二係止部４２Ｃは、左右方向において軸部４２Ｂよりも左側に位置している。第二係止部４２Ｃは、前後方向において軸部４２Ｂよりも後側に位置している。
【００２５】
第三回動部材４３は、第一軸線Ｒ１と平行な第二軸線Ｒ２（図９Ｂ参照。）上に設けられた中心軸４３１と、中心軸４３１と並列に設けられた並列軸４３２とを有する。中心軸４３１は、軸部４３Ａ，４３Ｂを有し（図５Ｂ参照。）、その軸部４３Ａ，４３Ｂがカバー本体３３に設けられた軸受６３Ａ，６３Ｂ（図５Ａ参照。）によってそれぞれ支持されて、第二軸線Ｒ２を中心に回動可能に構成されている。また、並列軸４３２は、中心軸４３１が回動したときに、中心軸４３１を中心として回動するように構成されている。
【００２６】
第三回動部材４３の軸部４３Ａ及びカバー本体３３の軸受６３Ａは、第一回動部材４１の軸部４１Ｂ及びカバー本体３３の軸受６１Ｂよりも、左右方向において左側に位置している。第三回動部材４３の軸部４３Ａ及びカバー本体３３の軸受６３Ａは、第一回動部材４１の軸部４１Ｂ及びカバー本体３３の軸受６１Ｂよりも、上下方向において下側に位置している。
【００２７】
第三回動部材４３の軸部４３Ｂ及びカバー本体３３の軸受６３Ｂは、第二回動部材４２の軸部４２Ａ及びカバー本体３３の軸受６２Ａよりも、左右方向において右側に位置している。第三回動部材４３の軸部４３Ｂ及びカバー本体３３の軸受６３Ｂは、第二回動部材４２の軸部４２Ａ及びカバー本体３３の軸受６２Ａよりも、上下方向において下側に位置している。
【００２８】
第三回動部材４３の並列軸４３２は、中心軸４３１よりも上下方向において下側に位置している。第三回動部材４３の並列軸４３２は、中心軸４３１よりも、前後方向において前側に位置している。第一付勢部材４６は、カバー本体３３と第一突出部４１Ｄとの間に介装された圧縮ばねである。第一付勢部材４６は、上下方向において、第一突出部４１Ｄを上方に向かって付勢している。これにより、第一回動部材４１は、解除位置から係止位置へと回動する方向へ付勢される。
【００２９】
第二付勢部材４７は、上下方向において、カバー本体３３と第二突出部４２Ｄとの間に介装された圧縮ばねである。第二付勢部材４７は、第二突出部４２Ｄを上方に向かって付勢している。これにより、第二回動部材４２は、解除位置から係止位置へと回動する方向へ付勢される。第一突出部４１Ｄは、ロック解除ボタン３９の直下となる位置にある。なお、ロック解除ボタン３９は、下方へ突出する突出部分３９Ａ（図６Ａ参照。）を有し、その突出部分３９Ａの下端が第一突出部４１Ｄの上面に接触している。また、ロック解除ボタン３９とカバートップ３５の間には付勢部材３９Ｂ（圧縮ばね）が介装され、ロック解除ボタン３９は上方へと付勢されている。
【００３０】
第一回動部材４１には、第一伝達部７１が設けられている。第一伝達部７１は、図８Ａに示すように、軸状に構成された第一接触部７１Ａを有する。第一伝達部７１は、第一回動部材４１と一体に回動する。第三回動部材４３の右側端部には、第一被伝達部７２が設けられている。第一被伝達部７２は、凹面状に構成された第一ガイド面７２Ａを有する。第一ガイド面７２Ａとなる凹面は上方に向けられている（すなわち、第一ガイド面７２Ａは下向きに凹んでいる。）。並列軸４３２の右端は第一被伝達部７２に連設されている。第一被伝達部７２は、第三回動部材４３と一体に回動する。第一伝達部７１と第一被伝達部７２は、第一軸線Ｒ１及び第二軸線Ｒ２の双方から離れた位置において互いに接触している。
【００３１】
第一回動部材４１の第一接触部７１Ａは、軸部４１Ｂよりも上下方向において下側に位置している。第一回動部材４１の第一接触部７１Ａは、軸部４１Ｂよりも前後方向において前側に位置している。第１接触部７１Ａは左右方向において左側に延びている。第三回動部材４３の第一ガイド面７２Ａは、軸部４３Ａよりも上下方向において下側に位置している。第三回動部材４３の第一ガイド面７２Ａは、前後方向において前側に位置している。第１ガイド面７２Ａは、左右方向において右側に延びるように設けられている。
【００３２】
第一回動部材４１が回動する際には、第一伝達部７１が第一回動部材４１とともに回動し、第一伝達部７１が第一被伝達部７２を押圧する。第一被伝達部７２は、第一伝達部７１から力を受けて、第三回動部材４３とともに回動する。その際、第一接触部７１Ａは、第一ガイド面７２Ａに接触しつつ第一ガイド面７２Ａに沿って移動する。これにより、第一伝達部７１と第一被伝達部７２とで回動中心の位置が異なっているにもかかわらず、第一伝達部７１は、第一被伝達部７２との接触を維持したまま第一被伝達部７２に対して相対的にスライドし、第一被伝達部７２を回動させることができる。
【００３３】
第三回動部材４３の左側端部には、第二伝達部７３が設けられている。第二伝達部７３は、図８Ｂに示すように、凹面状に構成された第二ガイド面７３Ａを有する。第二ガイド面７３Ａとなる凹面は下方に向けられている（すなわち、第二ガイド面７３Ａは上向きに凹んでいる。）。並列軸４３２の左端は第二伝達部７３に連設されている。第二伝達部７３は、第三回動部材４３と一体に回動する。第二回動部材４２には、第二被伝達部７４が設けられている。第二被伝達部７４は、軸状に構成された第二接触部７４Ａを有する。第二被伝達部７４は、第二回動部材４２と一体に回動する。第二伝達部７３と第二被伝達部７４は、第一軸線Ｒ１及び第二軸線Ｒ２の双方から離れた位置において互いに接触している。
【００３４】
第三回動部材４３の第二ガイド面７３Ａは、軸部４３Ｂよりも上下方向において下側に位置している。第三回動部材４３の第二ガイド面７３Ａは、軸部４３Ｂよりも前後方向において前側に位置している。第二ガイド面７３Ａは、左右方向において左側に延びている。第二回動部材４２の第二接触部７４Ａは、軸部４２Ａよりも上下方向において下側に位置している。第二回動部材４２の第二接触部７４Ａは、軸部４２Ａよりも前後方向において前側に位置している。接触部７４Ａは、左右方向において右側に延びるように設けられている。
【００３５】
第三回動部材４３が回動する際には、第二伝達部７３が第三回動部材４３とともに回動し、第二伝達部７３が第二被伝達部７４を押圧する。第二被伝達部７４は、第二伝達部７３から力を受けて、第二回動部材４２とともに回動する。その際、第二接触部７４Ａは、第二ガイド面７３Ａに接触しつつ第二ガイド面７３Ａに沿って移動する。これにより、第二伝達部７３と第二被伝達部７４とで回動中心の位置が異なっているにもかかわらず、第二伝達部７３は、第二被伝達部７４との接触を維持したまま第二被伝達部７４に対して相対的にスライドし、第二被伝達部７４を回動させることができる。
【００３６】
図７Ａに示すように、第三回動部材４３は、第一係止部４１Ｃが第一被係止部５１に係止する係止位置のときに、第一位置に配置されている。また、図７Ｂに示すように、第三回動部材４３は、第一係止部４１Ｃが第一被係止部５１に係止する状態が解除されたときに、第二位置に配置される。具体的には、第三回動部材４３の中心軸４３１の上面が、上方向を向いている状態が第一位置であり、中心軸４３１が少し回動し、中心軸４３１の上面が少し前側へ向いた状態が第二位置である。また、並列軸４３２は、第三回動部材４３が第一位置に配置されたときよりも、第二位置に配置されたときの方が、下方に配置される。
【００３７】
以上のような構成により、ロック解除ボタン３９を下方へ押し下げると、第一回動部材４１が回動し、第一回動部材４１に連動して、第三回動部材４３が回動し、第三回動部材４３に連動して、第二回動部材４２が回動する。これにより、第一係止部４１Ｃ及び第二係止部４２Ｃが係止位置から解除位置へと移動してカバー部１３のロックが解除され、カバー部１３が開閉可能な状態になる。また、カバー部１３を開位置から閉位置へ移動させると、第一係止部４１Ｃ及び第二係止部４２Ｃは第一被係止部５１及び第二被係止部５２に係止し、カバー部１３が閉位置から変位不能な状態になる。
【００３８】
排紙ストッパ３７及び収容部３５１は、図４Ａ及び図４Ｂから明らかなように、筐体１１の上方から見て、第一回動部材４１と第二回動部材４２との間となる位置に設けられている。第二軸線Ｒ２は、図９Ｂに示すように、高さ方向について、第一軸線Ｒ１よりも下方となる位置にある。本実施形態の場合、第二軸線Ｒ２は、第一軸線Ｒ１の直下（すなわち、上方から見ると重なる位置。）にある。排紙ストッパ３７は、図１０Ｂに示すように、非使用位置へ移動した際に、排紙ストッパ３７の上面がシートの排出方向上流側から下流側（図中でいう後側から前側。）に向かって斜め下方へと傾斜する状態になる。
【００３９】
第三回動部材４３の中心軸４３１及び並列軸４３２は、図１０Ａ及び図１０Ｂに示すように、収容部３５１の下方に配置される。並列軸４３２は、排紙トレイ３１におけるシートの排出方向について、中心軸４３１よりも下流側となる位置に設けられている。並列軸４３２の上面は、高さ方向について、中心軸４３１の上面よりも下方となる位置にある。収容部３５１の下面は、シートの排出方向上流側から下流側（図中でいう後側から前側。）に向かって斜め下方へと傾斜している。並列軸４３２の上面は、図９Ａに示すように、収容部３５１の下方において、その両側にある部分よりも低くなる形状とされている。
【００４０】
［効果］
以上説明した複合機１によれば、第一係止部４１Ｃ及び第二係止部４２Ｃは、双方とも第一軸線Ｒ１を中心に回動する。よって、第一係止部４１Ｃと第二係止部４２Ｃとで回動中心にずれがある場合とは異なり、第一係止部４１Ｃ及び第二係止部４２Ｃを容易に同様の回転角で回動するように構成することができ、片閉じや片開きが発生するのを抑制できる。
【００４１】
また、上記複合機１によれば、第三回動部材４３は、第一回動部材４１及び第二回動部材４２の回動中心に相当する第一軸線Ｒ１とは異なる位置にある第二軸線Ｒ２を中心に回動する。そのため、第一回動部材４１と第二回動部材４２とが単一の軸材で構成されている場合とは異なり、第一回動部材４１と第二回動部材４２との間となる領域に軸材が通らない空間を確保できる。したがって、この空間を利用して上述の排紙ストッパ３７及び収容部３５１を配置できる。よって、例えば、第一回動部材４１と第二回動部材４２との間となる領域に通っている軸材を避けて、その軸材の上方に上述の排紙ストッパ３７及び収容部３５１を配置する場合に比べ、装置の高さ方向寸法が大きくなるのを抑制することができる。
【００４２】
また、上記複合機１によれば、第一回動部材４１と第二回動部材４２とが単一の軸材で構成されている場合に比べ、第一回動部材４１、第二回動部材４２、及び第三回動部材４３それぞれの軸方向の長さを、単一の軸材よりも短くすることができる。しかも、第一回動部材４１、第二回動部材４２、及び第三回動部材４３は、それぞれの軸が軸受によって回動可能に支持される。したがって、軸方向の長さが第一回動部材４１、第二回動部材４２、及び第三回動部材４３それぞれの長さよりも長くなる単一の軸材に比べ、軸に捻れや歪みが生じにくくなる。したがって、単一の軸材を採用する場合よりも、軸の捻れや歪みに起因する片閉じや片開きが発生するのを抑制できる。
【００４３】
また、上記複合機１の場合、第一伝達部７１が回動する際には、第一伝達部７１が第一被伝達部７２との接触を維持したまま第一被伝達部７２に対して相対的にスライドして第一被伝達部７２を回動させる。また、第二伝達部７３が回動する際には、第二伝達部７３が第二被伝達部７４との接触を維持したまま第二被伝達部７４に対して相対的にスライドして第二被伝達部７４を回動させる。したがって、第一伝達部７１と第一被伝達部７２との接触箇所及び第二伝達部７３と第二被伝達部７４との接触箇所において、互いの回動中心のずれを吸収することができ、第三回動部材４３及び第二回動部材４２をスムーズに回動させることができる。
【００４４】
また、上記複合機１の場合、排紙ストッパ３７が非使用位置へ移動した際には、排紙ストッパ３７の上面がシートの排出方向上流側から下流側に向かって斜め下方へと傾斜する状態になる。そのため、本体部３の上部に更にＦＢ部５が付設されていても、排紙トレイ３１上のシートを取り出す部分の開口１１Ａ面を大きくし、排紙トレイ３１上のシートを取り出しやすくすることができる。収容部３５１の下面は、排紙ストッパ３７に合わせて斜め下方へと傾斜しているが、その傾斜に合わせて、並列軸４３２の上面は中心軸４３１の上面よりも下方となる位置にある。したがって、並列軸４３２と収容部３５１との干渉が発生することはない。
【００４５】
［他の実施形態］
以上、画像形成装置について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００４６】
例えば、上記実施形態では、カバー部１３に折りたたみ式の排紙ストッパ３７が設けられる例を示したが、別の部材が設けられていてもよい。例えば、図１１に示すように、カバー部１３に引き出し式の延長トレイ８１が設けられていてもよい。図１１における収容部８３は、延長トレイ８１の上側に配置されている。第三回動部材４３の並列軸４３２は、延長トレイ８１の収容部８３との干渉を避けるために、収容部８３の上面よりも上方に配置される。すなわち、並列軸４３２との干渉を避けたい部材が、並列軸４３２の上方に配置されるか下方に配置されるかは任意である。
【００４７】
あるいは、装置本体の上面前側に操作パネルを設けたい場合にも、上述のような第三回動部材４３を採用することにより、第一軸線と干渉する位置に操作パネルを配置可能となる。あるいは、装置本体の上面前側にＮＦＣデバイスを設けたい場合にも、上述のような第三回動部材４３を採用することにより、第一軸線と干渉する位置にＮＦＣデバイスを配置可能となる。
【００４８】
また、上述の実施形態では、カバー部１３にロック部４０が設けられ、筐体１１に被ロック部５０が設けられる例を示したが、ロック部４０相当の構成が筐体１１側に設けられて、被ロック部５０相当の構成がカバー部１３側に設けられていてもよい。この場合でも、ロック部４０相当の構成において、第一回動部材４１、第二回動部材４２、及び第三回動部材４３に相当する構成を採用すれば、第一回動部材４１と第二回動部材４２との間となる領域に所期の部材を配置でき、装置の高さ方向寸法が大きくなるのを抑制することができる。
【００４９】
また、上述の実施形態では、第一伝達部７１と第一被伝達部７２とが直接接触し、第二伝達部７３と第二被伝達部７４とが直接接触する構成を例示したが、第一回動部材４１と第三回動部材４３との間、及び第三回動部材４３と第二回動部材４２との間には、ギヤ、カム、リンク等の動力伝達部材が介在していてもよい。
【００５０】
また、上述の実施形態では、第一回動部材４１、第二回動部材４２、及び第三回動部材４３が、軸部４１Ａ，４１Ｂ、４２Ａ，４２Ｂ，４３Ａ，４３Ｂを有し、軸部４１Ａ，４１Ｂ、４２Ａ，４２Ｂ，４３Ａ，４３Ｂが、軸受６１Ａ，６１Ｂ，６２Ａ，６２Ｂ，６３Ａ，６３Ｂによって支持されていたが、軸部と軸受を入れ替えてもよい。すなわち、第一回動部材４１、第二回動部材４２、及び第三回動部材４３が軸受を有し、その軸受に軸部が通されて、軸受が軸部を中心に回動可能に支持されていてもよい。
【００５１】
なお、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００５２】
［補足］
なお、以上説明した例示的な実施形態から明らかなように、本開示の画像形成装置は、更に以下に挙げるような構成を備えていてもよい。
【００５３】
まず、本開示の画像形成装置において、第一回動部材は、第一伝達部を有し、第三回動部材は、第一被伝達部を有し、第一伝達部と第一被伝達部は、第一軸線及び第二軸線の双方から離れた位置において接触しており、第一回動部材が回動する際には、第一伝達部と第一被伝達部とが互いに接触する状態を維持したまま相対的にスライドして、第一伝達部から第一被伝達部へと力を伝達することにより、第三回動部材を回動させるように構成され、第三回動部材は、第二伝達部を有し、第二回動部材は、第二被伝達部を有し、第二伝達部と第二被伝達部は、第一軸線及び第二軸線の双方から離れた位置において接触しており、第三回動部材が回動する際には、第二伝達部と第二被伝達部とが互いに接触する状態を維持したまま相対的にスライドして、第二伝達部から第二被伝達部へと力を伝達することにより、第二回動部材を回動させるように構成されていてもよい。
【００５４】
このように構成された画像形成装置によれば、第一伝達部と第一被伝達部とでは回動中心にずれがある。また、第二伝達部と第二被伝達部とでは回動中心にずれがある。ただし、第一伝達部が回動する際には、第一伝達部が第一被伝達部との接触を維持したまま第一被伝達部に対して相対的にスライドして第一被伝達部を回動させる。また、第二伝達部が回動する際には、第二伝達部が第二被伝達部との接触を維持したまま第二被伝達部に対して相対的にスライドして第二被伝達部を回動させる。したがって、第一伝達部と第一被伝達部との接触箇所及び第二伝達部と第二被伝達部との接触箇所において、上述のような回動中心のずれを吸収することができ、第三回動部材及び第二回動部材をスムーズに回動させることができる。
【００５５】
また、本開示の画像形成装置において、第一伝達部及び第一被伝達部のうち、いずれか一方には第一ガイド面が設けられ、他方には第一ガイド面に接触しつつ第一ガイド面に沿って移動する第一接触部が設けられ、第二伝達部及び第二被伝達部のうち、いずれか一方には第二ガイド面が設けられ、他方には第二ガイド面に接触しつつ第二ガイド面に沿って移動する第二接触部が設けられていてもよい。
【００５６】
また、本開示の画像形成装置において、筐体の上部には、排紙トレイが設けられていて、排紙トレイの端部には、排紙トレイへと排出されるシートが排紙トレイから逸脱する方向へ移動するのを規制する排紙ストッパが設けられ、排紙ストッパは、排紙ストッパを使用するときの位置である使用位置と、排紙ストッパを使用しないときの位置である非使用位置との間で移動可能に構成され、排紙トレイには、排紙ストッパが非使用位置へ移動した際に、排紙ストッパが収容される収容部が設けられ、排紙ストッパは、筐体の上方から見て、第一回動部材と第二回動部材との間となる位置に設けられていてもよい。
【００５７】
このように構成された画像形成装置によれば、排紙ストッパを収容する収容部が、筐体の上方から見て、第一回動部材と第二回動部材との間となる位置に設けられている。そのため、高さ方向について収容部をどのような位置に配置しても、収容部が第一回動部材及び第二回動部材に干渉することはない。したがって、第一回動部材から第二回動部材に至る位置に単一の回動部材が配設されている場合に比べ、排紙ストッパ及び収容部をより低い位置に配置することが可能となり、装置の薄型化を図ることができる。
【００５８】
また、本開示の画像形成装置において、第二軸線は、高さ方向について、第一軸線よりも下方となる位置にあってもよい。
このように構成された画像形成装置によれば、第二軸線が第一軸線よりも下方となる位置にある。そのため、第三回動部材は、第一回動部材及び第二回動部材よりも下方に配置されるので、その分だけ排紙ストッパをより低い位置に配置することが可能となり、装置の薄型化を図ることができる。
【００５９】
また、本開示の画像形成装置において、第三回動部材は、第二軸線上に設けられた中心軸と、中心軸と並列に設けられて、一端が第一被伝達部に連設されるとともに、他端が第二伝達部に連設される並列軸とを備え、排紙ストッパが非使用位置へ移動した際には、排紙ストッパの上面がシートの排出方向上流側から下流側に向かって斜め下方へと傾斜する状態になり、中心軸及び並列軸は、収容部の下方に配置され、並列軸は、排紙トレイにおけるシートの排出方向について、中心軸よりも下流側となる位置に設けられ、並列軸の上面は、高さ方向について、中心軸の上面よりも下方となる位置にあり、収容部の下面は、シートの排出方向上流側から下流側に向かって斜め下方へと傾斜していてもよい。
【００６０】
このように構成された画像形成装置によれば、排紙ストッパが非使用位置へ移動した際には、排紙ストッパの上面がシートの排出方向上流側から下流側に向かって斜め下方へと傾斜する状態になる。そのため、例えば画像形成装置の上部に、更に画像読取装置等が付設されている場合など、排紙トレイの上方に構造物が存在する場合でも、排紙トレイ上のシートを取り出す部分の開口面を大きくすることができる。
【００６１】
また、収容部の下面は、排紙ストッパに合わせて斜め下方へと傾斜しているが、その傾斜に合わせて、並列軸の上面は中心軸の上面よりも下方となる位置にある。したがって、並列軸と収容部との干渉が発生することはない。
【符号の説明】
【００６２】
１…複合機、３…本体部、５…ＦＢ部、７…ＡＤＦ部、１１…筐体、１１Ａ…開口、１３…カバー部、１５…記録紙トレイ、１７…操作パネル、２１…吸入ローラ、２２Ａ…分離ローラ、２２Ｂ…分離パッド、２３Ａ，２３Ｂ…レジストローラ対、２４…露光器、２５…感光体、２６…現像ローラ、２７…転写ローラ、２８Ａ…加熱ローラ、２８Ｂ…加圧ローラ、２９…排紙ローラ、３１…排紙トレイ、３３…カバー本体、３５…カバートップ、３５１…収容部、３７…排紙ストッパ、３９…ロック解除ボタン、４０…ロック部、４１…第一回動部材、４１Ａ，４１Ｂ…軸部、４１Ｃ…第一係止部、４１Ｄ…第一突出部、４２…第二回動部材、４２Ａ，４２Ｂ…軸部、４２Ｃ…第二係止部、４２Ｄ…第二突出部、４３…第三回動部材、４３１…中心軸、４３２…並列軸、４３Ａ，４３Ｂ…軸部、４６…第一付勢部材、４７…第二付勢部材、５０…被ロック部、５１…第一被係止部、５２…第二被係止部、６１Ａ，６１Ｂ，６２Ａ，６２Ｂ，６３Ａ，６３Ｂ…軸受、７１…第一伝達部、７１Ａ…第一接触部、７２…第一被伝達部、７２Ａ…第一ガイド面、７３…第二伝達部、７３Ａ…第二ガイド面、７４…第二被伝達部、７４Ａ…第二接触部、８１…延長トレイ、Ｒ１…第一軸線、Ｒ２…第二軸線。
【図１】
2019032493.tif 000003
【図２】
2019032493.tif 000004
【図３】
2019032493.tif 000005
【図４】
2019032493.tif 000006
【図５】
2019032493.tif 000007
【図６】
2019032493.tif 000008
【図７】
2019032493.tif 000009
【図８】
2019032493.tif 000010
【図９】
2019032493.tif 000011
【図１０】
2019032493.tif 000012
【図１１】
2019032493.tif 000013